(57)【特許請求の範囲】
【請求項１】
ポリ（ＡＤＰ‐リボース）ポリメラーゼ４（Ｐｏｌｙ（ＡＤＰ−ｒｉｂｏｓｅ）ｐｏｌｙｍｅｒａｓｅ  ４、ＰＡＲＰ４）、ビタミンＤ結合タンパク質（Ｖｉｔａｍｉｎ  Ｄ−ｂｉｎｄｉｎｇ  ｐｒｏｔｅｉｎ、ＶＤＢ）及びラミニンサブユニットベータ１（Ｌａｍｉｎｉｎ  ｓｕｂｕｎｉｔ  ｂｅｔａ−１、ＬＡＭＢ１）からなる群から選択された一つ以上のタンパク質レベルを測定する製剤を含む、非糖尿病性血管狭窄疾患の診断用組成物。
【請求項２】
インターフェロン調節因子７（Ｉｎｔｅｒｆｅｒｏｎ  ｒｅｇｕｌａｔｏｒｙ  ｆａｃｔｏｒ  ７、ＩＲＦ７）、細胞質分裂タンパク質のデディケーター２（Ｄｅｄｉｃａｔｏｒ  ｏｆ  ｃｙｔｏｋｉｎｅｓｉｓ  ｐｒｏｔｅｉｎ  ２、ＤＯＣＫ２）及びヘモグロビンサブユニットベータ（Ｈｅｍｏｇｌｏｂｉｎ  ｓｕｂｕｎｉｔ  ｂｅｔａ、ＨＢＢ）からなる群から選択された一つ以上のタンパク質レベルを測定する製剤を含む、糖尿病性血管狭窄疾患の診断用組成物。
【請求項３】
前記タンパク質レベルを測定する製剤が、前記タンパク質に特異的に結合する抗体を含むものである、請求項１または２に記載の血管狭窄疾患の診断用組成物。
【請求項４】
前記血管狭窄疾患が、脳卒中、アテローム性動脈硬化症、血管再狭窄（ｉｎ−ｓｔｅｎｔ  ｒｅｓｔｅｎｏｓｉｓ）、心筋梗塞または動脈硬化症である、請求項１または２に記載の血管狭窄疾患の診断用組成物。
【請求項５】
請求項１または２に記載の組成物を含む、血管狭窄疾患の診断用キット。
【請求項６】
前記キットが、ＥＬＩＳＡ（Ｅｎｚｙｍｅ−ｌｉｎｋｅｄ  ｉｍｍｕｎｏｓｏｒｂｅｎｔ  ａｓｓａｙ）キット、タンパク質チップキット、ラピッド（ｒａｐｉｄ）キットまたはＭＲＭ（Ｍｕｌｔｉｐｌｅ  ｒｅａｃｔｉｏｎ  ｍｏｎｉｔｏｒｉｎｇ）キットである、請求項５に記載の血管狭窄疾患の診断用キット。
【請求項７】
（ａ）生物学的試料からポリ（ＡＤＰ‐リボース）ポリメラーゼ４（Ｐｏｌｙ（ＡＤＰ−ｒｉｂｏｓｅ）ｐｏｌｙｍｅｒａｓｅ  ４、ＰＡＲＰ４）、ビタミンＤ結合タンパク質（Ｖｉｔａｍｉｎ  Ｄ−ｂｉｎｄｉｎｇ  ｐｒｏｔｅｉｎ、ＶＤＢ）及びラミニンサブユニットベータ１（Ｌａｍｉｎｉｎ  ｓｕｂｕｎｉｔ  ｂｅｔａ−１、ＬＡＭＢ１）からなる群から選択された一つ以上のタンパク質の発現レベルを測定する段階；及び
（ｂ）前記（ａ）段階で測定されたタンパク質の発現レベルを正常対照区試料と比較する段階を含む、非糖尿病性血管狭窄疾患診断のための情報提供方法。
【請求項８】
（ａ）生物学的試料からインターフェロン調節因子７（Ｉｎｔｅｒｆｅｒｏｎ  ｒｅｇｕｌａｔｏｒｙ  ｆａｃｔｏｒ  ７、ＩＲＦ７）、細胞質分裂タンパク質のデディケーター２（Ｄｅｄｉｃａｔｏｒ  ｏｆ  ｃｙｔｏｋｉｎｅｓｉｓ  ｐｒｏｔｅｉｎ  ２、ＤＯＣＫ２）及びヘモグロビンサブユニットベータ（Ｈｅｍｏｇｌｏｂｉｎ  ｓｕｂｕｎｉｔ  ｂｅｔａ、ＨＢＢ）からなる群から選択された一つ以上のタンパク質の発現レベルを測定する段階；及び
（ｂ）前記（ａ）段階で測定されたタンパク質の発現レベルを正常対照区試料と比較する段階を含む、糖尿病性血管狭窄疾患診断のための情報提供方法。
【請求項９】
血管狭窄疾患が疑われる個体から分離された試料の前記タンパク質の発現レベルが正常対照群試料のタンパク質の発現レベルより高いか低い場合、血管狭窄疾患と判断することを特徴とする、請求項７または８に記載の血管狭窄疾患診断のための情報提供方法。
【請求項１０】
前記血管狭窄疾患が、脳卒中、アテローム性動脈硬化症、血管再狭窄（ｉｎ−ｓｔｅｎｔ  ｒｅｓｔｅｎｏｓｉｓ）、心筋梗塞または動脈硬化症である、請求項７または８に記載の血管狭窄疾患診断のための情報提供方法。
【請求項１１】
前記タンパク質発現レベルの測定が、該当タンパク質に特異的に結合する抗体を利用するものである、請求項７または８に記載の血管狭窄疾患診断のための情報提供方法。
【請求項１２】
前記タンパク質発現レベルの測定または比較が、タンパク質チップ分析、免疫測定法、リガンド結合アッセイ、ＭＡＬＤＩ−ＴＯＦ（Ｍａｔｒｉｘ  Ｄｅｓｏｒｐｔｉｏｎ／Ｉｏｎｉｚａｔｉｏｎ  Ｔｉｍｅ  ｏｆ  Ｆｌｉｇｈｔ  Ｍａｓｓ  Ｓｐｅｃｔｒｏｍｅｔｒｙ）分析、放射線免疫分析、放射免疫拡散法、オクタロニー免疫拡散法、ロケット免疫電気泳動、組織免疫染色、補体固定分析法、２次元電気泳動分析、液状クロマトグラフィー質量分析（ｌｉｑｕｉｄ  ｃｈｒｏｍａｔｏｇｒａｐｈｙ−Ｍａｓｓ  Ｓｐｅｃｔｒｏｍｅｔｒｙ、ＬＣ−ＭＳ）、ＬＣ−ＭＳ／ＭＳ（ｌｉｑｕｉｄ  ｃｈｒｏｍａｔｏｇｒａｐｈｙ−Ｍａｓｓ  Ｓｐｅｃｔｒｏｍｅｔｒｙ／Ｍａｓｓ  Ｓｐｅｃｔｒｏｍｅｔｒｙ）、ウエスタンブロット及びＥＬＩＳＡ（ｅｎｚｙｍｅ  ｌｉｎｋｅｄ  ｉｍｍｕｎｏｓｏｒｂｅｎｔａｓｓａｙ）で構成された群から選択されたものを用いて行うことを特徴とする、請求項７または８に記載の血管狭窄疾患診断のための情報提供方法。
【発明の詳細な説明】
【技術分野】
【０００１】
本発明は非糖尿病性血管狭窄疾患の診断用組成物、糖尿病性血管狭窄疾患の診断用組成物、及び前記組成物を含む血管狭窄疾患の診断用キット、非糖尿病性血管狭窄疾患診断のための情報提供方法及び糖尿病性血管狭窄疾患診断のための情報提供方法を提供する。
【背景技術】
【０００２】
最近になって、生活環境の都市化、過度の栄養摂取などが原因で様々な疾患が複合的に現れる代謝性症候群の患者が急増している傾向である。全世界的に代謝性疾患である糖尿病と肥満のリスクが増加していて、糖尿病の有病率が人口の１０％を越え始めた。
【０００３】
韓国でも、２００５〜２００７年国民健康栄養調査の結果によると、成人人口の１０％が糖尿病患者であり、３０％以上が肥満患者で、これらの糖尿病の爆発的な増加は世界的な傾向である。また、代謝性症候群に属する脳血管疾患、心臓病、糖尿病、高血圧疾患による死亡者数は、がんによる死亡者数を越えている。
【０００４】
糖尿病患者の主な死亡原因は心血管系疾患で、全体の糖尿病患者の死亡原因の４０％を心筋梗塞と脳梗塞が占めている。特に、糖尿病性心血管疾患の場合、無症状の場合が多く、胸痛、めまい、頭痛、しびれなどの症状を感じる場合は、既に血管狭窄がかなり進行された状態であるため、発見時には重症疾患で死亡する可能性が大きい。そのため、血管狭窄を早期発見することと、疾患に対する予防が非常に重要であると言える。
【０００５】
現在使用されている血管狭窄を早期発見する方法は、間接的に動脈硬化の程度を予想する診断方法であって、頸動脈超音波検査（ｃａｒｏｔｉｄ  ａｒｔｅｒｙ  Ｄｏｐｐｌｅｒ  ｕｌｔｒａｓｏｕｎｄ）、脈波伝達速度の測定（ｐｕｌｓｅ  ｗａｖｅ  ｖｅｌｏｃｉｔｙ）、血流依存性血管拡張反応（ｆｌｏｗ  ｍｅｄｉａｔｅｄ  ｄｉｌａｔａｔｉｏｎ）などがある。最近開発され臨床に適用されているマルチチャンネル冠動脈断層撮影（ｍｕｌｔｉ−ｄｅｔｅｃｔｏｒ  ｃｏｒｏｎａｒｙ  ｃｏｍｐｕｔｅｄ  ｔｏｍｏｇｒａｐｈｙ；ＭＤＣＴ）は、まだ高価な造影剤を使用し、機能検査を伴うなどの限界がある。
【０００６】
韓国人の最も重要な慢性疾患である糖尿病と、糖尿病患者で第１の死亡原因と明らかになった心血管系疾患は、早期に診断することができるバイオマーカーの開発が何よりも急がれる。現在まで、脂肪細胞から分泌されるアディポネクチン（ａｄｉｐｏｎｅｃｔｉｎ）の低下や動脈硬化などの全身的な炎症反応（ｓｙｓｔｅｍ  ｉｎｆｌａｍｍａｔｉｏｎ）に関与するＣＲＰ、ＴＮＦ−α、ＩＬ−６などの増加など、一部の血清タンパク質の変化が知られているが、まだ確実に糖尿病患者における心血管系疾患、特に血管狭窄疾患の程度及び疾患状態を予測することができる確立されたバイオマーカーはない状況である。
【０００７】
韓国でも爆発的に増加している肥満、糖尿病、代謝症候群などの代謝性疾患の有病率を考慮し、前記疾患群はすべて虚血性心血管系合併症が主な死亡原因であるだけに、血管狭窄の進行程度を予測することができるタンパク質バイオマーカーの発掘が急がれる実情である。
【発明の概要】
【発明が解決しようとする課題】
【０００８】
本発明者らは血管狭窄の進行を早期診断するために、プロテオミクス技法を導入してバイオマーカーを発掘した。特に血管狭窄の高危険群である糖尿と関連した炎症タンパク質の変化に対する報告はたくさんあるが、糖尿と血管狭窄間の全体血液タンパク質の変化は報告されたことがなく、本発明では糖尿の存在有無、血管狭窄の進行程度による患者グループでの血液全体タンパク質をプロテオミクス技法により分析して、糖尿の有無、血管狭窄の程度により変化するタンパク質をバイオマーカーとして使用しうることを確認し、これを通じて糖尿患者または非糖尿患者での血管狭窄進行状況をモニタリングできることを確認し、本発明を完成した。
【課題を解決するための手段】
【０００９】
本発明の一つの目的は、非糖尿病性血管狭窄疾患の診断用組成物を提供することにある。
本発明の他の目的は、糖尿病性血管狭窄疾患の診断用組成物を提供することにある。
【００１０】
本発明のまた他の目的は、前記組成物を含む、血管狭窄疾患の診断用キットを提供することにある。
本発明のまた他の目的は、非糖尿病性血管狭窄疾患診断のための情報提供方法を提供することにある。
【００１１】
本発明のまた他の目的は、糖尿病性血管狭窄疾患診断のための情報提供方法を提供することにある。
【発明の効果】
【００１２】
本発明は、血管狭窄疾患の診断用組成物を提供することにより、非糖尿病性または糖尿病性血管狭窄疾患の患者における発現が変化するタンパク質の発現レベルを測定及び比較することにより、血管狭窄疾患の早期診断及び疾病程度を有意的に予測または把握することができる。
【００１３】
また、本発明の診断用組成物は非侵襲性診断を可能にして血液、尿検査などにより簡単で有効な血管狭窄疾患の初期診断を行うことができる。
【図面の簡単な説明】
【００１４】
【図１】非糖尿患者における血管狭窄によって有意に発現量の差があるタンパク質を示したものである。
【図２】糖尿患者における血管狭窄によって有意に発現量の差があるタンパク質を示したものである。
【発明を実施するための形態】
【００１５】
前記目的を達成するために、本発明は一つの様態として、血管狭窄疾患の診断用組成物を提供する。
一様態で、前記血管狭窄疾患の診断用組成物は、ポリ（ＡＤＰ‐リボース）ポリメラーゼ４（Ｐｏｌｙ（ＡＤＰ−ｒｉｂｏｓｅ）ｐｏｌｙｍｅｒａｓｅ  ４、ＰＡＲＰ４）、ビタミンＤ結合タンパク質（Ｖｉｔａｍｉｎ  Ｄ−ｂｉｎｄｉｎｇ  ｐｒｏｔｅｉｎ、ＶＤＢ）及びラミニンサブユニットベータ１（Ｌａｍｉｎｉｎ  ｓｕｂｕｎｉｔ  ｂｅｔａ−１、ＬＡＭＢ１）からなる群から選択された一つ以上のタンパク質レベルを測定する製剤を含む、非糖尿病性血管狭窄疾患の診断用組成物であってもよい。
【００１６】
本発明で用語、「血管狭窄疾患」は、血管が狭くなる疾患であり、狭窄になると血流量が減少され狭窄が発生した血管が分布する部位に虚血が起こることになったり、表面の粗い動脈硬化で血栓や硬化のピースが離れていく塞栓が発生して症状を引き起こす疾患を制限なく含む。本発明の血管狭窄疾患に該当する場合、前記した血管内膜の肥厚が進行されるにつれて、血管の狭窄が起こることがあり、血管壁の弾力が減って血管破裂による出血が発生しうる。本発明で血管狭窄疾患は、脳卒中、アテローム性動脈硬化症、血管再狭窄（ｉｎ−ｓｔｅｎｔ  ｒｅｓｔｅｎｏｓｉｓ）、心筋梗塞または動脈硬化症であってもよいが、これに制限されない。
【００１７】
本発明で使用された用語、「診断」は、病理状態の存在または特徴を確認することを意味する。本発明の目的上、診断は血管狭窄疾患の発病の有無を確認することであって、糖尿病患者から血管狭窄疾患の発病有無を早期に確認することができる。
【００１８】
本発明で前記ポリ（ＡＤＰ‐リボース）ポリメラーゼ４（Ｐｏｌｙ（ＡＤＰ−ｒｉｂｏｓｅ）ｐｏｌｙｍｅｒａｓｅ  ４、ＰＡＲＰ４）は、ポリ（ＡＤＰ−リボシル）化反応を触媒するポリ（ＡＤＰ−リボシル）トランスフェラーゼ様１タンパク質をコードするものとして知られており、血管狭窄疾患との関連性に関して本発明者らが最初に究明した。
【００１９】
前記ビタミンＤ結合タンパク質（Ｖｉｔａｍｉｎ  Ｄ−ｂｉｎｄｉｎｇ  ｐｒｏｔｅｉｎ、ＶＤＢ）は、ＶＤＢ−グロブリン（群特異的成分）として知られており、アルブミン遺伝子ファミリーに属し、ビタミンＤに結合してビタミンＤをターゲット組織に伝達するものと知られており、血管狭窄疾患との関連性に関して本発明者らが最初に究明した。
【００２０】
前記ラミニンサブユニットベータ１（Ｌａｍｉｎｉｎ  ｓｕｂｕｎｉｔ  ｂｅｔａ−１、ＬＡＭＢ１）は細胞外基質構成成分であって、他の細胞外マトリックス成分と相互作用し、細胞の付着、移動などに関与するものとして知られており、血管狭窄疾患との関連性に関して本発明者らが最初に究明した。
【００２１】
また、他の一様態として、本発明の血管狭窄疾患の診断用組成物は、インターフェロン調節因子７（Ｉｎｔｅｒｆｅｒｏｎ  ｒｅｇｕｌａｔｏｒｙ  ｆａｃｔｏｒ  ７、ＩＲＦ７）、細胞質分裂タンパク質のデディケーター２（Ｄｅｄｉｃａｔｏｒ  ｏｆ  ｃｙｔｏｋｉｎｅｓｉｓ  ｐｒｏｔｅｉｎ  ２、ＤＯＣＫ２）及びヘモグロビンサブユニットベータ（Ｈｅｍｏｇｌｏｂｉｎ  ｓｕｂｕｎｉｔ  ｂｅｔａ、ＨＢＢ）からなる群から選択された一つ以上のタンパク質のレベルを測定する製剤を含む、糖尿病性血管狭窄疾患の診断用組成物であってもよい。
【００２２】
前記インターフェロン調節因子７（Ｉｎｔｅｒｆｅｒｏｎ  ｒｅｇｕｌａｔｏｒｙ  ｆａｃｔｏｒ  ７、ＩＲＦ７）は、インターフェロン調節転写因子ファミリーに属し、ウイルスが誘導された細胞遺伝子の転写を活性化させるものとして知られており、糖尿患者での血管狭窄疾患との関連性に関して本発明者らが最初に究明した。
【００２３】
前記細胞質分裂タンパク質のデディケーター２（Ｄｅｄｉｃａｔｏｒ  ｏｆ  ｃｙｔｏｋｉｎｅｓｉｓ  ｐｒｏｔｅｉｎ  ２、ＤＯＣＫ２）は、Ｇタンパク質であるＲａｃを活性化させて細胞内シグナル伝達に関与するものとして知られており、糖尿患者での血管狭窄疾患との関連性に関して本発明者らが最初に究明した。
【００２４】
前記ヘモグロビンサブユニットベータ（Ｈｅｍｏｇｌｏｂｉｎ  ｓｕｂｕｎｉｔ  ｂｅｔａ、ＨＢＢ）は、ヘモグロビンＡを形成するヘモグロビンアルファ１（ＨＢＡ１）と相互作用するものとして知られており、糖尿患者での血管狭窄疾患との関連性に関して本発明者らが最初に究明した。
【００２５】
本発明の一実施例では、非糖尿患者らは血管狭窄の程度によって低危険群（０％）、中危険群（０〜５０％）、高危険群（５０％以上）に分類し、糖尿患者らを血管狭窄の程度によって低危険群、中危険群、高危険群患者に分類した。以後、これら患者の血液試料を採取して血管狭窄の程度によって差があるタンパク質をＴＭＴ（Ｔａｎｄｅｍ  Ｍａｓｓ  Ｔａｇ）による相対定量法を利用して血管狭窄危険群グループ間のタンパク質発現様相を観察し、その中でその差が有意な（ｐ値＜０．０５）タンパク質１００個を１次バイオマーカー候補群と選定した。前記選定された１次バイオマーカー候補群を検証するために、各グループ当り１０名の患者試料を用いて１次バイオマーカー候補群に対する検証を行い、最終的に非糖尿患者群では６種のタンパク質であるＰＡＲＰ４、ＶＤＢ、ＬＡＭＢ１、Ｃ４Ａ、ＬＢＰ、ＡＰＯＣ２が血管狭窄の危険度によって有意性のある変化する様相を確認し、これらタンパク質が血管狭窄疾患の診断用マーカーとして活用しうることを確認した。また、糖尿患者からも６種のタンパク質であるＩＲＦ７、ＤＯＣＫ２、ＨＢＢ、Ｃ４Ａ、ＬＢＰ、ＡＰＯＣ２が血管狭窄の危険度によって有意性のあるように変化する様相を確認し、これらタンパク質が血管狭窄疾患の診断用マーカーとして活用しうることを確認した。
【００２６】
特に非糖尿患者から確認されたバイオマーカーのうち、ＰＡＲＰ４は血管狭窄低危険群に比べて中危険群でＰＡＲＰ４タンパク質の発現が減少し、Ｃ４Ａは低危険群に比べて高危険群でＣ４Ａタンパク質発現が減少し、ＡＰＯＣ２は低危険群に比べて中危険群、高危険群いずれもＡＰＯＣ２タンパク質発現が増加し、ＶＤＢは低危険群に比べて中危険群、高危険群いずれもＶＤＢタンパク質発現が減少し、ＬＡＭＢ１は低危険群に比べて中危険群、高危険群いずれもＶＤＢタンパク質発現が減少し、ＬＢＰは中危険群に比べて高危険群でＬＢＰタンパク質発現が増加したことを確認した。
【００２７】
また、糖尿患者から確認されたバイオマーカーのうち、ＩＲＦ７は低危険群に比べて中危険群、高危険群いずれもＩＲＦ７タンパク質発現が増加し、ＤＯＣＫ２は低危険群に比べて中危険群、高危険群いずれもＤＯＣＫ２タンパク質発現が減少し、ＡＰＯＣ２は低危険群に比べて中危険群、高危険群いずれもＡＰＯＣ２タンパク質発現が減少し、ＨＢＢは低危険群に比べて高危険群でＨＢＢタンパク質発現が増加し、ＬＢＰは低危険群に比べて中危険群、高危険群いずれもＬＢＰタンパク質発現が増加し、Ｃ４Ａは中危険群に比べて高危険群でＣ４Ａタンパク質発現が増加したことを確認した。
【００２８】
したがって、前記ＰＡＲＰ４、ＶＤＢ、ＬＡＭＢ１、Ｃ４Ａ、ＬＢＰ、ＡＰＯＣ２はすべて正常対照群（糖尿病と血管狭窄疾患がない個体）と比較して、糖尿病はないが血管狭窄疾患がある個体で該当タンパク質の発現レベルが変化する特徴を有するため、非糖尿病性血管狭窄疾患診断のためのマーカーとして使用されうる。
【００２９】
また、前記ＩＲＦ７、ＤＯＣＫ２、ＨＢＢ、Ｃ４Ａ、ＬＢＰ、ＡＰＯＣ２はすべて対照群（糖尿病はあるが、血管狭窄疾患がない個体）と比較して、糖尿病と血管狭窄疾患がある個体で該当タンパク質の発現レベルが変化する特徴を有するため、糖尿病性血管狭窄疾患診断のためのマーカーと使用されうる。
【００３０】
本発明で用語、「マーカー（ｍａｒｋｅｒ）」とは、正常群個体と血管狭窄疾患を有する個体とを区分して診断することができる物質であり、本発明の血管狭窄疾患を有する個体で増加または減少を示すポリペプチド、タンパク質、糖タンパク質などのような有機生体分子をすべて含む。特に、本発明では、本発明の非糖尿病性血管狭窄疾患を有する個体または糖尿病性血管狭窄疾患を有する個体で変化されるタンパク質であってもよいが、これに制限されない。
【００３１】
本発明で使用された用語、「タンパク質レベル測定」とは、血管狭窄疾患の診断のために生物学的試料で血管狭窄疾患の診断用マーカータンパク質の存在有無と発現程度を確認する過程である。前記マーカータンパク質に対して特異的に結合する抗体を用いてタンパク質の量を確認することができ、または抗体を利用せずタンパク質発現のレベル自体を測定することもできる。
【００３２】
前記タンパク質レベル測定または比較分析方法としては、タンパク質チップ分析、免疫測定法、リガンド結合アッセイ、ＭＡＬＤＩ−ＴＯＦ（Ｍａｔｒｉｘ  Ｄｅｓｏｒｐｔｉｏｎ／Ｉｏｎｉｚａｔｉｏｎ  Ｔｉｍｅ  ｏｆ  Ｆｌｉｇｈｔ  Ｍａｓｓ  Ｓｐｅｃｔｒｏｍｅｔｒｙ）分析、放射線免疫分析、放射免疫拡散法、オクタロニー免疫拡散法、ロケット免疫電気泳動、組織免疫染色、補体固定分析法、２次元電気泳動分析、液状クロマトグラフィー質量分析（ｌｉｑｕｉｄ  ｃｈｒｏｍａｔｏｇｒａｐｈｙ−Ｍａｓｓ  Ｓｐｅｃｔｒｏｍｅｔｒｙ、ＬＣ−ＭＳ）、ウエスタンブロット及びＥＬＩＳＡ（ｅｎｚｙｍｅ  ｌｉｎｋｅｄ  ｉｍｍｕｎｏｓｏｒｂｅｎｔａｓｓａｙ）などがあるが、これに制限されるものではない。
【００３３】
非糖尿病性血管狭窄疾患の診断のため、前記タンパク質レベルを測定する製剤はＰＡＲＰ４、ＶＤＢ及びＬＡＭＢ１から選択されるタンパク質に特異的に結合する抗体を含んでもよい。
【００３４】
また、糖尿病性血管狭窄疾患の診断のため、前記タンパク質レベルを測定する製剤はＩＲＦ７、ＤＯＣＫ２及びＨＢＢから選択されるタンパク質に特異的に結合する抗体を含んでもよい。
【００３５】
本発明で使用された用語、「抗体」は、抗原性部位に対して指示される特異的なタンパク質分子を意味する。本発明の目的上、抗体は前記ＰＡＲＰ４、ＶＤＢ、ＬＡＭＢ１、ＩＲＦ７、ＤＯＣＫ２及びＨＢＢの中で選択される１つ以上のタンパク質に対して特異的に結合する抗体を意味し、多クローン抗体、単クローン抗体及び組換え抗体をすべて含む。抗体を生成することは当業界で広く公知された技術を利用して容易に製造することができる。
【００３６】
また、本発明の抗体は２つの全長軽鎖及び２つの全長重鎖を有する完全な形態だけでなく、抗体分子の機能的な断片を含む。抗体分子の機能的な断片とは、少なくとも抗原結合機能を保有している断片を意味し、Ｆａｂ、Ｆ（ａｂ’）、Ｆ（ａｂ’）２及びＦｖなどがある。
【００３７】
本発明の他の様態として、前記血管狭窄疾患の診断用組成物を含む血管狭窄疾患の診断用キットを提供する。好ましくは、前記キットは、ＥＬＩＳＡ（Ｅｎｚｙｍｅ−ｌｉｎｋｅｄ  ｉｍｍｕｎｏｓｏｒｂｅｎｔ  ａｓｓａｙ）キット、タンパク質チップキット、ラピッド（ｒａｐｉｄ）キットまたはＭＲＭ（Ｍｕｌｔｉｐｌｅ  ｒｅａｃｔｉｏｎ  ｍｏｎｉｔｏｒｉｎｇ）キットであってもよい。
【００３８】
また、好ましくは、前記血管狭窄疾患の診断用キットは分析方法に適合する一種またはそれ以上の他の構成成分組成物、溶液または装置をさらに含んで構成されてもよい。
また好ましくは、ＥＬＩＳＡを行うために必要な必須要素を含むことを特徴とする診断キットであってもよい。ＥＬＩＳＡキットは前記タンパク質に対する特異的な抗体を含む。前記抗体は各マーカータンパク質に対する特異性及び親和性が高く、他のタンパク質に対する交差反応性がほとんどない抗体で、単クローン抗体、多クローン抗体または組換え抗体である。また、ＥＬＩＳＡキットは対照群タンパク質に特異的な抗体を含むことができる。その他、ＥＬＩＳＡキットは結合された抗体を検出することができる試薬、例えば、標識された２次抗体、発色団（ｃｈｒｏｍｏｐｈｏｒｅｓ）、酵素（例：抗体とコンジュゲートされる）及びその基質または抗体と結合することができる他の物質を含んでもよい。
【００３９】
また、好ましくは、５分内に分析結果を知ることができる迅速なテストを行うため必要な必須要素を含むことを特徴とするラピッド（ｒａｐｉｄ）キットであってもよい。  ラピッドキットはタンパク質に対する特異的な抗体を含む。前記抗体は各マーカータンパク質に対する特異性及び親和性が高く、他のタンパク質に対する交差反応性がほとんどない抗体で、単クローン抗体、多クローン抗体または組換え抗体である。また、ラピッドキットは対照群タンパク質に特異的な抗体を含むことができる。その他、ラピッドキットは結合された抗体を検出することができる試薬、例えば、特異抗体と２次抗体が固定されたニトロセルロースメンブレン、抗体が結合されたビーズに結合されたメンブレン、吸収パッドとサンプルパッドなどの他の物質などを含むことができる。
【００４０】
また、好ましくは質量分析を行うために必要な必須要素を含むことを特徴とする、ＭＳ／ＭＳモードであるＭＲＭ（Ｍｕｌｔｉｐｌｅ  ｒｅａｃｔｉｏｎ  ｍｏｎｉｔｏｒｉｎｇ）キットであってもよい。ＳＩＭ（Ｓｅｌｅｃｔｅｄ  Ｉｏｎ  Ｍｏｎｉｔｏｒｉｎｇ）が質量分析機のソース部分で一度衝突して生じたイオンを利用する方法であるのに対し、ＭＲＭは前記で一度割れたイオンの中で特定イオンをもう一度選択して連続的に連結されたまた別のＭＳのソースをもう一回通過して衝突させた後、この中で得られたイオンを利用する方法である。より具体的に、ＳＩＭでは選択した定量イオンが血漿からも検出されるイオンである場合、定量するのに邪魔されるという問題点がある。反面、ＭＲＭを利用する場合、同様の質量を有するイオンであっても、もう一回割れれば分子構造が異なるように差別化された傾向を示すため、これを定量イオンとして使用すればバックグラウンドで邪魔されるピークが除去されて、より一層きれいなベースラインを得ることができる。したがって、質量分析の時にＭＲＭモードを使用して、より優れた分析感度で希望物質を同時に分析することができる。前記ＭＲＭ（Ｍｕｌｔｉｐｌｅ  ｒｅａｃｔｉｏｎ  ｍｏｎｉｔｏｒｉｎｇ）分析方法を介して、非糖尿患者から正常対照群でのタンパク質発現レベルと血管狭窄疾患がある個体でのタンパク質発現レベルを比較することができ、また、糖尿患者で血管狭窄がない個体のタンパク質発現レベルと血管狭窄がある個体でのタンパク質発現レベルを比較して、血管狭窄疾患の発病有無を診断することができる。
【００４１】
本発明の他の様態として、血管狭窄疾患診断のための情報提供方法を提供する。
好ましくは、本発明の方法は、（ａ）生物学的試料からポリ（ＡＤＰ‐リボース）ポリメラーゼ４（Ｐｏｌｙ（ＡＤＰ−ｒｉｂｏｓｅ）ｐｏｌｙｍｅｒａｓｅ  ４、ＰＡＲＰ４）、ビタミンＤ結合タンパク質（Ｖｉｔａｍｉｎ  Ｄ−ｂｉｎｄｉｎｇ  ｐｒｏｔｅｉｎ、ＶＤＢ）及びラミニンサブユニットベータ１（Ｌａｍｉｎｉｎ  ｓｕｂｕｎｉｔ  ｂｅｔａ−１、ＬＡＭＢ１）からなる群から選択された一つ以上のタンパク質の発現レベルを測定する段階；及び
（ｂ）前記（ａ）段階で測定されたタンパク質の発現レベルを正常対照区試料と比較する段階を含む、非糖尿病性血管狭窄疾患診断のための情報提供方法であってもよい。
【００４２】
また、好ましくは、本発明の方法は、（前記（ａ）生物学的試料からインターフェロン調節因子７（Ｉｎｔｅｒｆｅｒｏｎ  ｒｅｇｕｌａｔｏｒｙ  ｆａｃｔｏｒ  ７、ＩＲＦ７）、細胞質分裂タンパク質のデディケーター２（Ｄｅｄｉｃａｔｏｒ  ｏｆ  ｃｙｔｏｋｉｎｅｓｉｓ  ｐｒｏｔｅｉｎ  ２、ＤＯＣＫ２）及びヘモグロビンサブユニットベータ（Ｈｅｍｏｇｌｏｂｉｎ  ｓｕｂｕｎｉｔ  ｂｅｔａ、ＨＢＢ）からなる群から選択された一つ以上のタンパク質の発現レベルを測定する段階；及び
（ｂ）前記（ａ）段階で測定されたタンパク質の発現レベルを正常対照区試料と比較する段階を含む、糖尿病性血管狭窄疾患診断のための情報提供方法であってもよい。
【００４３】
本発明で使用された用語、「生物学的試料」とは、血管狭窄疾患発病によりタンパク質発現レベルが相異する全血、血清、血漿、唾液、脳脊髄液または尿のような試料などを含むが、これに限定されない。
【００４４】
前記ＰＡＲＰ４、ＶＤＢ及びＬＡＭＢ１はすべて正常対照群（糖尿病と血管狭窄疾患がない個体）と比較して、糖尿病はないが血管狭窄疾患がある個体でタンパク質の発現レベルが変化する特徴を有するため、前記レベルが変化すると非糖尿性血管狭窄疾患と診断することができる。
【００４５】
前記ＩＲＦ７、ＤＯＣＫ２及びＨＢＢはすべて対照群（糖尿病はあるが、血管狭窄疾患がない個体）と比較して、糖尿病と血管狭窄疾患がある個体でタンパク質の発現レベルが変化する特徴を有するため、前記レベルが変化すると糖尿性血管狭窄疾患と診断することができる。
【００４６】
したがって、血管狭窄疾患が疑われる個体から分離された試料のタンパク質の発現レベルが正常対照群試料のタンパク質の発現レベルより高いか低い場合、血管狭窄疾患と判断することができる。
【００４７】
好ましくは、本発明の前記タンパク質の発現レベルは該当タンパク質に特異的に結合する抗体を利用して測定及び比較することができる。前記抗体と生物学的試料内の該当タンパク質が抗原−抗体複合体を形成するようにして、これを検出する方法を利用する。
【００４８】
本発明で使用された用語、「抗原−抗体複合体」は、生物学的試料中の該当タンパク質抗原とこれを認知する抗体の結合物を意味する。前記抗原−抗体複合体の検出は当業界に公知となったような方法、例えば、分光学的、光化学的、生物化学的、免疫化学的、電気的、吸光的、化学的及びその他の方法を利用して検出することができる。
【００４９】
本発明の目的上、前記タンパク質発現レベルの測定または比較分析方法としては、タンパク質チップ分析、免疫測定法、リガンド結合アッセイ、ＭＡＬＤＩ−ＴＯＦ（Ｍａｔｒｉｘ  Ｄｅｓｏｒｐｔｉｏｎ／Ｉｏｎｉｚａｔｉｏｎ  Ｔｉｍｅ  ｏｆ  Ｆｌｉｇｈｔ  Ｍａｓｓ  Ｓｐｅｃｔｒｏｍｅｔｒｙ）分析、放射線免疫分析、放射免疫拡散法、オクタロニー免疫拡散法、ロケット免疫電気泳動、組織免疫染色、補体固定分析法、２次元電気泳動分析、液状クロマトグラフィー質量分析（ｌｉｑｕｉｄ  ｃｈｒｏｍａｔｏｇｒａｐｈｙ−Ｍａｓｓ  Ｓｐｅｃｔｒｏｍｅｔｒｙ、ＬＣ−ＭＳ）、ＬＣ−ＭＳ／ＭＳ（ｌｉｑｕｉｄ  ｃｈｒｏｍａｔｏｇｒａｐｈｙ−Ｍａｓｓ  Ｓｐｅｃｔｒｏｍｅｔｒｙ／Ｍａｓｓ  Ｓｐｅｃｔｒｏｍｅｔｒｙ）、ウエスタンブロット及びＥＬＩＳＡ（ｅｎｚｙｍｅ  ｌｉｎｋｅｄ  ｉｍｍｕｎｏｓｏｒｂｅｎｔａｓｓａｙ）などがあるが、これに制限されるものではない。
【００５０】
本発明の具体的な実施例では、ＰＡＲＰ４、ＶＤＢ、ＬＡＭＢ１、ＩＲＦ７、ＤＯＣＫ２、ＨＢＢ、Ｃ４Ａ、ＬＢＰ及びＡＰＯＣ２のタンパク質発現のレベル自体を測定及び比較するために、ＬＣ−ＭＳ／ＭＳ方法を使用した。
【００５１】
（実施例）
以下、本発明を実施例を通じてより詳細に説明する。しかし、これらの実施例は、本発明を例示的に説明するためのもので、本発明の範囲がこれらの実施例に限定されるものではない。
【００５２】
実施例１．患者の血液試料準備
非糖尿患者らの中で血管狭窄詰まりの程度によって低危険群（０％）、中危険群（０〜５０％）、高危険群（５０％以上）に分類し、糖尿患者らの中で血管狭窄の詰まりの程度によって低危険群、中危険群、高危険群患者に分類した。以後、これら患者から血液試料を採取した。
【００５３】
実施例２．患者血液試料の豊富な（ａｂｕｎｄａｎｔ）タンパク質除去
前記実施例１で採取した血液試料内のタンパク質のうち、１４個の高豊富（ｈｉｇｈ−ａｂｕｎｄａｎｔ）タンパク質（アルブミン、ＩｇＧ、抗トリプシン、ＩｇＡ、トランスフェリン、ハプトグロビン、フィブリノーゲン、アルファ２−マクログロブリン、アルファ１−酸性糖タンパク質、ＩｇＭ、アポリポタンパク質ＡＩ、アポリポタンパク質ＡＩＩ、補体Ｃ３、トランスサイレチン）が占める割合は全体タンパク質の９５％に達している。したがって、これら１４個の高豊富タンパク質により、興味のある低豊富（ｌｏｗ−ａｂｕｎｄａｎｔ）タンパク質を分析するにおいて、敏感度の減少が相当するため、前記１４個のタンパク質をＭＡＲＳ（Ｍｕｌｔｉｐｌｅ  Ａｆｆｉｎｉｔｙ  Ｒｅｍｏｖａｌ  Ｓｙｓｔｅｍ）カラム（Ｐ／Ｎ５１８８−６５５８、Ａｇｉｌｅｎｔ）を介して除去し、残ったタンパク質だけを後に分析に使用した。
【００５４】
具体的にＭＡＲＳ（Ｍｕｌｔｉｐｌｅ  Ａｆｆｉｎｉｔｙ  Ｒｅｍｏｖａｌ  Ｓｙｓｔｅｍ）カラム（Ｐ／Ｎ  ５１８８−６５５８、Ａｇｉｌｅｎｔ）を利用して、高豊富タンパク質を除去する過程は次のとおりである。
【００５５】
実施例１で準備された血液試料４０μｌに５０ｘプロテアーゼ阻害剤（Ｒｏｃｈｅ）２μｌを入れ緩衝液Ａ６０μｌを入れて混ぜた。以後、０．２２μｍフィルター（Ａｇｉｌｅｎｔ、Ｐ／Ｎ  ５１８５−５９９０）に前記プロテアーゼ阻害剤と緩衝液Ａを混ぜた試料を入れ遠心分離器を利用して（１４４００ｇ、１分、４℃）、サイズが大きいパーティクルを除去した。以後、ＨＰＬＣにＭＡＲＳカラムを連結して移動相Ａ（緩衝液Ａ）、Ｂ（緩衝液Ｂ）を流した。
【００５６】
移動相Ａを利用して３０分ほどカラムを安定化させた後、以下の表１のような条件の移動相勾配を使用して、試料を分離し、フロースルー（９〜１７分）、溶出（２１〜２３分）時間台の試料を２ｍｌチューブに移し入れた。前記フロースルーから得られた試料は、１０Ｋフィルターチューブに入れ、遠心分離器を用いて（１４４００ｇ、３０分、４℃）、２ｍｌの試料量を５０μｌまで濃縮を行った。
【００５７】
【表１】
0006441504.tif 000002
【００５８】
実施例３．タンパク質試料のペプチド化
質量分析器を介した分析のためにタンパク質を酵素（トリプシン）を用いてペプチド単位で切片化する過程が先行される必要があるため、次のような過程を利用してタンパク質のペプチド切片化を実施した。
【００５９】
豊富なタンパク質が除去された６０μｇの濃度に対応する血液試料５０μｌに１５０μｌのＤＴＴ溶液（最終濃度６Ｍウレア、１０ｍＭ  ＤＴＴ、５０ｍＭトリス）を入れて、３７℃で１時間反応（Ｒｅｄｕｃｔｉｏｎ）した。前記２００μｌの反応された（ｒｅｄｕｃｔｅｄ）サンプルに２０μｌのＩＡＡ溶液（最終濃度：５．４５Ｍウレア、５０Ｍ  ＩＡＡ、５０ｍＭトリス）を処理した後、暗所で３０分間室温で反応（アルキレーション）させた後、１ｍｌトリス溶液（５０ｍＭ  ｐＨ８）（最終濃度；１Ｍウレア、５０ｍＭトリス最終量１．２ｍｌ）を試料に入れた。以後、トリプシン溶液５μｌずつ分注して、３７℃で１２時間反応させた。
【００６０】
実施例４．ペプチド試料のＴＭＴ（Ｔａｎｄｅｍ  Ｍａｓｓ  Ｔａｇ）６ｐｌｅｘ試料を用いた標識
質量分析器で相対的定量のために、一般的に使用されるＴＭＴ−６ｐｌｅｘ試薬を使用して、合計６つの試料グループにそれぞれ異なる質量のレポーターイオン（ｒｅｐｏｒｔｅｒ  ｉｏｎ）を有するＴＭＴ試薬を反応させた（表２）。表２は、グループごとに標識したレポーターイオンの種類を示す。
【００６１】
【表２】
0006441504.tif 000003
【００６２】
実施例３でペプチド化された試料に２００ｍＭ  ＴＥＡＢ５０μＬを入れてボルテクス（ｖｏｒｔｅｘｉｎｇ）とスピンダウン（ｓｐｉｎ  ｄｏｗｎ）を実施した。ＴＭＴ試薬チューブに試料名を書いてＴＭＴ試薬に１００％ＡＣＮ４１μＬを入れてボルテクス（ｖｏｒｔｅｘｉｎｇ）とスピンダウン（ｓｐｉｎ  ｄｏｗｎ）を実施した（キットに入ったＡＣＮ量は定められており、ペプチド２５〜１００μｇにＡＣＮ４１μＬが入る）。以後、ＴＭＴ試薬４１μＬをサンプルチューブ（ペプチド）に入れた後、ボルテクス（ｖｏｒｔｅｘｉｎｇ）とスピンダウン（ｓｐｉｎ  ｄｏｗｎ）した後、室温で１時間反応させた。５％ヒドロキシルアミンをサンプルチューブにそれぞれ８μＬずつ入れボルテクス（ｖｏｒｔｅｘｉｎｇ）とスピンダウン（ｓｐｉｎ  ｄｏｗｎ）した後、１５分間室温でクエンチング（ｑｕｅｎｃｈｉｎｇ）した。この後、定量、同量の標識したサンプル９９μＬをそれぞれ取って一つの新しいｅ−チューブに集めた。
【００６３】
実施例５．ペプチド分画化、ＬＣ−ＭＳ／ＭＳ分析及びデータ分析遂行
ペプチド試料が有している高いレベルの複雑性（ｃｏｍｐｌｅｘｉｔｙ）を減らすためにペプチドが有している固有のＰＩ値を利用して分画化を行った。
【００６４】
まず、ＴＭＴ試薬が標識されたペプチドを、オフジェル希釈緩衝液（ｏｆｆｇｅｌ  ｄｉｌｕｔｉｏｎ  ｂｕｆｆｅｒ）に溶かした。オフゲルフラクショネーター（Ｏｆｆｇｅｌ  ｆｒａｃｔｉｏｎａｔｏｒｓ）（３１００  ｏｆｆｇｅｌ  ｆｒａｃｔｉｏｎａｔｏｒ、Ａｇｉｌｅｎｔ）にＩＰＧストリップ（ｓｔｒｉｐ）とコーム（ｃｏｍｂ）を結合した後、前記緩衝液に溶解しているサンプルを分注して、４０００Ｖで２４時間ランニング（ｒｕｎｎｉｎｇ）した。各分画区間での試料をチューブに移した後、乾燥し、試料に残っている試薬除去のために脱塩（ｄｅｓａｌｔｉｎｇ）過程を実施した。
【００６５】
得られたペプチドは高い分離能と高い再現性を有するＵＰＬＣシステムのＥａｓｙ−ｎＬＣ（Ｔｈｅｒｍｏ）にＲＰ（ｒｅｖｅｒｓｅ−ｐｈａｓｅ）カラムを利用してペプチドが有する疎水性（ｈｙｄｒｏｐｈｏｂｉｃｉｔｙ）によって分離した。ＵＰＬＣによって分離されたペプチドは高解像度、高精度（Ｈｉｇｈ  ｒｅｓｏｌｕｔｉｏｎ／ｈｉｇｈ  ａｃｃｕｒａｃｙ）を有する質量分析器であるＱ−ｅｘａｃｔｉｖｅ（登録商標）（Ｔｈｅｒｍｏ）によりリアルタイムで分析を実行した。Ｑ−ｅｘａｃｔｉｖｅ（登録商標）によって得られた生データはＰｒｏｔｅｏｍｅ  Ｄｉｓｃｏｖｅｒｅｒソフトウェア（Ｔｈｅｒｍｏ）のＳＥＱＵＥＳＴアルゴリズムによってスペクトルを分析し、ペプチドとタンパク質を同定した。Ｓｃａｆｆｏｌｄ  Ｑ＋（Ｐｒｏｔｅｏｍｅ  ソフトウェア）を利用して同定されたタンパク質の検証を行い、また、ＴＭＴで得られた定量情報を抽出した。ＲパッケージのいずれかであるＩｓｏｂａｒを利用して、統計的な分析を行い各グループ間で有意に発現量の差があるタンパク質を選定した。（ｐ値＜０．０５）
表３は非糖尿患者群／糖尿患者群のグループで、血管狭窄の差により発現量が有意に差があるタンパク質の１００個の候補群を示す。
【００６６】
【表３−１】
0006441504.tif 000004
【００６７】
【表３−２】
0006441504.tif 000005
【００６８】
【表３−３】
0006441504.tif 000006
【００６９】
【表３−４】
0006441504.tif 000007
【００７０】
実施例６：ＭＲＭ（Ｍｕｌｔｉｐｌｅ  Ｒｅａｃｔｉｏｎ  Ｍｏｎｉｔｏｒｉｎｇ）を通じたバイオマーカー候補検証
バイオマーカー候補の検証のために、１次バイオマーカー候補群のＭＲＭトランジションを選定した。タンパク質一つ当り最大３つのペプチドを選定し、ペプチドごとに３つのトランジションリストを選定した。ＭＲＭトランジションの選定は、スカイライン  ソフトウェア（ｈｔｔｐｓ：／／ｓｋｙｌｉｎｅ．ｇｓ．ｗａｓｈｉｎｇｔｏｎ．ｅｄｕ／ｌａｂｋｅｙ／ｐｒｏｊｅｃｔ／ｈｏｍｅ／ｓｏｆｔｗａｒｅ／Ｓｋｙｌｉｎｅ／ｂｅｇｉｎ．ｖｉｅｗ）を使用し、ＮＩＳＴが提供するＭＲＭトランジションデータベースを使用してトランジションを選定した。この時の選択基準は、次のとおりである。
【００７１】
１．６≦長さ≦２０
２．充電状態＝＋２または＋３
３．Ｎｏ  Ｍ、Ｗ（酸化）
４．ＮＴＴ＝２
５．ＮＭＣ＝０
６．近隣ＫＲ＝０
選定されたペプチドトランジションは血液試料を用いてＭＲＭ分析を先行して行い、そのトランジションの適合性を確認した。トランジションの確認条件は、以下のとおりである。
【００７２】
１．スカイラインが提供するドットプロダクトスコアが０．８以上
２．同じＭＳ１から派生した３種のトランジションピークが同様な保持時間から共溶出の有無
３．３回繰り返しを通じて再現性のある保持時間を持つか否か
４．Ｓ／Ｎ＞１０以上のピーク面積強度を持つか否か
前記候補タンパク質の１００個のうち、非糖尿病患者で血管狭窄の有無に応じて有意に発現量の差があるタンパク質と検証されたのは、ＰＡＲＰ４、Ｃ４Ａ、ＡＰＯＣ２、ＬＢＰ、ＶＤＢ、ＬＡＭＢ１に該当する６つのタンパク質であった（図１参照）。具体的に、検証されたタンパク質の中で、ＰＡＲＰ４は血管狭窄低危険群に比べて中危険群でＰＡＲＰ４タンパク質の発現が減少し、Ｃ４Ａは低危険群に比べて高危険群でＣ４Ａタンパク質発現が減少し、ＡＰＯＣ２は低危険群に比べて中危険群、高危険群いずれもＡＰＯＣ２タンパク質の発現が増加し、ＶＤＢは低危険群に比べて中危険群、高危険群いずれもＶＤＢタンパク質の発現が減少し、ＬＡＭＢ１低危険群に比べて中危険群、高危険群いずれもＬＡＭＢ１タンパク質の発現が減少し、ＬＢＰは中危険群に比べて高危険群でＬＢＰタンパク質の発現が増加したことを確認した。
【００７３】
また、前記候補タンパク質の１００個のうち、糖尿病患者で血管狭窄の有無に応じて有意に発現量の差があるタンパク質と検証されたのは、ＤＯＣＫ２、Ｃ４Ａ、ＡＰＯＣ２、ＩＲＦ７、ＨＢＢ、ＬＢＰに該当する６つのタンパク質であった（図２参照）。具体的に、検証されたタンパク質の中で、ＩＲＦ７は低危険群に比べて中危険群、高危険群いずれもＩＲＦ７タンパク質の発現が増加し、ＤＯＣＫ２は低危険群に比べて中危険群、高危険群いずれもＤＯＣＫ２タンパク質の発現が減少し、ＡＰＯＣ２は低危険群に比べて中危険群、高危険群いずれもＡＰＯＣ２タンパクの質発現が減少し、ＨＢＢは低危険群に比べて高危険群でＨＢＢタンパク質の発現が増加し、ＬＢＰは低危険群に比べて中危険群、高危険群いずれもＬＢＰタンパク質の発現が増加し、Ｃ４Ａは中危険群に比べて高危険群でＣ４Ａタンパク質の発現が増加したことを確認した。
【００７４】
表４はＭＲＭ（Ｍｕｌｔｉｐｌｅ  Ｒｅａｃｔｉｏｎ  Ｍｏｎｉｔｏｒｉｎｇ）に使用されたペプチド配列を示したもので、非糖尿病性／糖尿病性血管狭窄を診断することができるタンパク質のペプチド配列を示したものである。
【００７５】
【表４】
0006441504.tif 000008
【図１】
0006441504.tif 000009
【図２】
0006441504.tif 000010